(57)【要約】【課題】着用者の姿勢が繰り返し変化した際にも身体の動きに追従し易い吸収性物品を提供する。【解決手段】吸収性物品(10)は、前後方向、及び前記前後方向に直交する幅方向と、吸収コアと、着用物品に接合される本体接合部(61)と、を有する。吸収性物品の前端部及び後端部の少なくとも一方に、吸収性物品の幅方向の中央において前後方向の内側に向かって幅狭となる切り欠き部（F90,R90）が形成されている。切り欠き部は、頂点(93)と、頂点から幅方向の一方側に延び、かつ吸収性物品の前後方向の端縁に連なる第１交点(91)と、頂点から幅方向の他方側に延び、かつ吸収性物品の前後方向の端縁に連なる第２交点(92)と、を有する。頂点と第１交点を結ぶ第１端縁(95)、及び頂点と第２交点を結ぶ第２端縁(96)のうち少なくとも一方は、曲線状に延びる曲線部を有する。【選択図】図１
2020124314.tif 000002
【特許請求の範囲】
【請求項１】
前後方向、及び前記前後方向に直交する幅方向と、
吸収コアと、
着用物品に接合される接合部と、を有し、
吸収性物品の前端部及び後端部の少なくとも一方に、前記吸収性物品の前記幅方向の中央において前記前後方向の内側に向かって幅狭となる切り欠き部が形成された吸収性物品であって、
前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、
前記頂点と前記第１交点を結ぶ第１端縁、及び前記頂点と第２交点を結ぶ第２端縁のうち少なくとも一方は、曲線状に延びる曲線部を有する、吸収性物品。
【請求項２】
前後方向、及び前記前後方向に直交する幅方向と、
吸収コアと、
着用物品に接合される接合部と、を有し、
吸収性物品の前端部及び後端部の少なくとも一方に、前記吸収性物品の前記幅方向の中央において前記前後方向の内側に向かって幅狭となる切り欠き部が形成された吸収性物品であって、
前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、
前記切り欠き部の前記前後方向の長さは、前記切り欠き部の前記幅方向の長さよりも短い、吸収性物品。
【請求項３】
前後方向、及び前記前後方向に直交する幅方向と、
吸収コアと、
吸収性物品の前端部及び後端部の少なくとも一方において前記吸収コアから前記前後方向の外側に延出した前後延出部と、
着用物品に接合される接合部と、を有し、
前記前後延出部には、前記吸収性物品の前記幅方向の中央において前記前後方向の内側に向かって幅狭となる切り欠き部が形成された吸収性物品であって、
前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、
前記切り欠き部の前記頂点と前記吸収コアとの前記前後方向の距離は、前記頂点よりも前記幅方向の外側の領域における前記切り欠き部と前記吸収コアとの前記前後方向の距離と異なる、吸収性物品。
【請求項４】
前記切り欠き部の前記頂点と前記吸収コアとの前記前後方向の距離は、前記頂点よりも前記幅方向の外側の領域における前記切り欠き部と前記吸収コアとの前記前後方向の距離よりも長い、請求項３に記載の吸収性物品。
【請求項５】
前記頂点、前記第１交点、及び前記第２交点は、曲線状の角部に設けられてよい、請求項１から請求項４のいずれか１項に記載の吸収性物品。
【請求項６】
前記前後方向において、前記吸収コアの外端縁は、前記切り欠き部の前記頂点よりも内側に位置する、請求項１から請求項５のいずれか１項に記載の吸収性物品。
【請求項７】
着用者の排泄口と対向する中央域と、
前記中央域よりも後方に位置する後側域と、を有し、
前記中央域には、前記吸収性物品の前記幅方向の中心を挟んで前記前後方向に延びる一対の折曲基点部が設けられており、
前記切り欠き部の前記幅方向の長さは、前記一対の折曲基点部の前記幅方向の間隔よりも長い、請求項１から請求項６のいずれか１項に記載の吸収性物品。
【請求項８】
前記接合部は、前記吸収コアと重なる領域に配置された本体接合部を有し、
前記切り欠き部は、前記吸収性物品の前端部に位置する前切り欠き部を有し、
前記本体接合部の外側縁は、前記前切り欠き部の外側縁よりも前記幅方向の外側に位置する、請求項１から請求項７のいずれか１項に記載の吸収性物品。
【請求項９】
前記接合部は、前記吸収コアと重なる領域に配置された本体接合部を有し、
前記切り欠き部は、前記吸収性物品の前端部に位置する後切り欠き部を有し、
前記本体接合部の外側縁は、前記後切り欠き部の外側縁よりも前記幅方向の内側に位置する、請求項１から請求項８のいずれか１項に記載の吸収性物品。
【請求項１０】
前記切り欠き部の前記頂点から前記前後方向に延びる前後延長線上には、前記本体接合部が配置されていない非接合領域が設けられており、
前記非接合領域の前記幅方向の長さは、前記切り欠き部の前記幅方向の長さよりも短い、請求項８又は請求項９に記載の吸収性物品。
【請求項１１】
前記吸収コアよりも肌面側に位置する肌面シートを有し、
前記切り欠き部から前記幅方向の外側に延びる幅延出部には、少なくとも前記肌面シートを圧縮したシート圧搾部が設けられており、
前記シート圧搾部は、平面視にて間隔を空けて複数設けられている、請求項１から請求項１０のいずれか１項に記載の吸収性物品。
【請求項１２】
前記シート圧搾部は、前記切り欠き部の前記頂点から前記幅方向に延びる幅延長線上に配置されている、請求項１１に記載の吸収性物品。
【発明の詳細な説明】
【技術分野】
【０００１】
本発明は、下着等の着用物品に接合される吸収性物品に関する。
【背景技術】
【０００２】
特許文献１は、下着等の着用物品に接合される吸収性物品としての生理用ナプキンを開示している。特許文献１の吸収性物品には、吸収性物品の幅方向の中央において前側に向かって凹んだ切り欠き部が形成されている。切り欠き部は、吸収性物品の後端部から前側に向かって直線的に漸次幅狭となるＶ字状である。特許文献１の吸収性物品は、Ｖ字状の切り欠き部を挟んだ両側が独立して動き易く、脚や臀部の動きに追従し易くなる。
【先行技術文献】
【特許文献】
【０００３】
【特許文献１】特開２０１５−８９２６号公報
【発明の概要】
【発明が解決しようとする課題】
【０００４】
特許文献１に記載の吸収性物品は、切り欠き部を挟んだ両側が独立して動き、身体の動きに追従し易い。しかし、吸収性物品を装着し続ける過程で身体の姿勢が変化した際に、吸収性物品が変形前の状態に戻らずに、姿勢が変化した身体を覆い続けることができないことがあった。特に、スポーツ等によって着用者の姿勢が繰り返し変化すると、吸収性物品が身体の姿勢の変化に追従できず、姿勢が変化した身体を覆い続けることができないことがあった。
【０００５】
そこで、着用者の姿勢が繰り返し変化した際にも身体の動きに追従し易い吸収性物品を提供することを目的とする。
【課題を解決するための手段】
【０００６】
一態様に係る吸収性物品は、前後方向、及び前記前後方向に直交する幅方向と、吸収コアと、着用物品に接合される接合部と、を有し、前記吸収性物品の前端部及び後端部の少なくとも一方に、前記吸収性物品の前記幅方向の中央において前記前後方向の内側に向かって幅狭となる切り欠き部が形成された吸収性物品であって、前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、前記頂点と前記第１交点を結ぶ第１端縁、及び前記頂点と第２交点を結ぶ第２端縁のうち少なくとも一方は、曲線状に延びる曲線部を有する。
【０００７】
他の態様に係る吸収性物品は、前後方向、及び前記前後方向に直交する幅方向と、吸収コアと、着用物品に接合される接合部と、を有し、前記吸収性物品の前端部及び後端部の少なくとも一方に、前記吸収性物品の前記幅方向の中央において前記前後方向の内側に向かって幅狭となる切り欠き部が形成された吸収性物品であって、前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、前記切り欠き部の前記前後方向の長さは、前記切り欠き部の前記幅方向の長さよりも短い。
【０００８】
他の態様に係る吸収性物品は、前後方向、及び前記前後方向に直交する幅方向と、吸収コアと、前記吸収性物品の前端部及び後端部の少なくとも一方において前記吸収コアから前記前後方向の外側に延出した前後延出部と、着用物品に接合される接合部と、を有し、前記前後延出部には、前記吸収性物品の前記幅方向の中央において前記前後方向の内側に向かって幅狭となる切り欠き部が形成された吸収性物品であって、前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、前記切り欠き部の前記頂点と前記吸収コアとの前記前後方向の距離は、前記頂点よりも幅方向の外側の領域における前記切り欠き部と前記吸収コアとの前記前後方向の距離と異なる。
【図面の簡単な説明】
【０００９】
【図１】実施形態における吸収性物品の肌面側から見た平面図である。
【図２】実施形態における吸収性物品の非肌面側から見た平面図である。
【図３】図１のＡ−Ａ線に沿った吸収性物品の断面図である。
【図４】吸収性物品の前端部の拡大平面図である。
【図５】吸収性物品の後端部の拡大平面図である。
【図６】吸収性物品の後端部の着用時の変形態様を模式的に示した図である。
【発明を実施するための形態】
【００１０】
（１）実施形態の概要
本明細書及び添付図面の記載により、少なくとも以下の事項が明らかとなる。
一態様に係る吸収性物品は、前後方向、及び前記前後方向に直交する幅方向と、吸収コアと、着用物品に接合される接合部と、を有し、前記吸収性物品の前端部及び後端部の少なくとも一方に、前記吸収性物品の前記幅方向の中央において前記前後方向の内側に向かって幅狭となる切り欠き部が形成された吸収性物品であって、前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、前記頂点と前記第１交点を結ぶ第１端縁、及び前記頂点と第２交点を結ぶ第２端縁のうち少なくとも一方は、曲線状に延びる曲線部を有する。
【００１１】
切り欠き部が設けられているため、スポーツ等によって激しく変形する力がかかった場合であっても、当該力を切り欠き部の変形によって吸収し、吸収性物品が身体から離れることを抑制できる。そのため、吸収性物品の前端部及び後端部の少なくとも一方が意図せずに、折れ曲がることを抑制し、身体を覆い続けることができる。また、第１端縁及び第２端縁のうち少なくとも一方が曲線部を有することにより、切り欠き部が変形した際に、その変形時に折り癖がつき難く、変形前の状態に戻り易い。また、切り欠き部の変形基点が曲線部上に位置するため、曲線上に位置する複数の点が変形基点となり易く、変形基点の位置が変化し易い。よって、種々の姿勢やその変化に追従して吸収性物品１が変形でき、姿勢が変化した身体を覆い続けることができる。
【００１２】
他の態様に係る吸収性物品は、前後方向、及び前記前後方向に直交する幅方向と、吸収コアと、着用物品に接合される接合部と、を有し、前記吸収性物品の前端部及び後端部の少なくとも一方に、前記吸収性物品の前記幅方向の中央において前記前後方向の内側に向かって幅狭となる切り欠き部が形成された吸収性物品であって、前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、前記切り欠き部の前記前後方向の長さは、前記切り欠き部の前記幅方向の長さよりも短い。
【００１３】
切り欠き部の前後方向の長さが切り欠き部の幅方向の長さよりも短いことにより、幅方向の内側に向かう力がかかった際に、切り欠き部が部分的に幅入りして変形を吸収し、切り欠き部の幅方向の全体が幅入りし難い。よって、一旦幅入りした後に変形前の状態に戻りやすくなり、着用者の姿勢が繰り返し変化した際に、吸収性物品が身体の姿勢の変化に追従でき、姿勢が変化した身体を覆い続けることができる。
【００１４】
他の態様に係る吸収性物品は、前後方向、及び前記前後方向に直交する幅方向と、吸収コアと、前記吸収性物品の前端部及び後端部の少なくとも一方において前記吸収コアから前記前後方向の外側に延出した前後延出部と、着用物品に接合される接合部と、を有し、前記前後延出部には、前記吸収性物品の前記幅方向の中央において前記前後方向の内側に向かって幅狭となる切り欠き部が形成された吸収性物品であって、前記切り欠き部は、頂点と、前記頂点から前記幅方向の一方側に延び、かつ前記吸収性物品の前記前後方向の端縁に連なる第１交点と、前記頂点から前記幅方向の他方側に延び、かつ前記吸収性物品の前記前後方向の端縁に連なる第２交点と、を有しており、前記切り欠き部の前記頂点と前記吸収コアとの前記前後方向の距離は、前記頂点よりも幅方向の外側の領域における前記切り欠き部と前記吸収コアとの前記前後方向の距離と異なる。
【００１５】
切り欠き部と吸収コアの外端縁との距離が一定でないことにより、切り欠き部が部分的に幅入りして変形を吸収し、切り欠き部の全体が幅入りし難い。よって、一旦幅入りした後に変形前の状態に戻りやすくなり、着用者の姿勢が繰り返し変化した際に、吸収性物品が身体の姿勢の変化に追従でき、姿勢が変化した身体を覆い続け易い。
【００１６】
好ましい一態様によれば、前記切り欠き部の前記頂点と前記吸収コアとの前記前後方向の距離は、前記頂点よりも幅方向の外側の領域における前記切り欠き部と前記吸収コアとの前記前後方向の距離よりも長くてよい。
【００１７】
切り欠き部に捻れ方向の力が生じると、切り欠き部の頂点を基点として、切り欠き部を挟んだ両側が捩れるように変形する。このときの変形の基点は、切り欠き部の頂点となる。当該切り欠き部の頂点は、吸収コアと比較的離れており、吸収コアの剛性の影響を受け難い。よって、切り欠き部の頂点が変形し易く、また変形後に変形前の状態に戻りやすくなる。着用者の姿勢が繰り返し変化した際に、吸収性物品が身体の姿勢の変化に追従でき、姿勢が変化した身体を覆い続け易い。
【００１８】
好ましい一態様によれば、前記頂点、前記第１交点、及び前記第２交点は、曲線状の角部に設けられてよい。
【００１９】
本態様によれば、頂点、第１交点、及び第２交点が曲線状の角部に設けられているため、切り欠き部が変形した際に、その変形時に折り癖がつき難く、変形前の状態に戻り易い。また、曲線状の角部であるため、切り欠きの変形基点が一点とならず、曲線上に位置する複数の点が変形基点となり易い。よって、種々の姿勢やその変化に追従して吸収性物品が変形できる。
【００２０】
好ましい一態様によれば、前記前後方向において、前記吸収コアの前記外端縁は、前記切り欠き部の前記頂点よりも内側に位置してよい。
【００２１】
切り欠き部の頂点よりも前後方向の内側のみに吸収コアが配置されている。そのため、幅方向において切り欠き部を挟む領域に吸収コアが配置されない。切り欠き部を挟んだ両側の剛性が高くなり過ぎず、切り欠き部を挟んだ両側が変形しても、変形時に折り癖が付き難く、変形前の状態に戻り易くなる。着用者の姿勢が繰り返し変化した際に、吸収性物品が身体の姿勢の変化に追従でき、姿勢が変化した身体を覆い続け易い。
【００２２】
好ましい一態様によれば、着用者の排泄口と対向する中央域と、前記中央域よりも後方に位置する後側域と、を有し、前記中央域には、前記吸収性物品の幅方向の中心を挟んで前記前後方向に延びる一対の折曲基点部が設けられており、前記切り欠き部の前記幅方向の長さは、前記一対の折曲基点部の前記幅方向の間隔よりも長くてよい。
【００２３】
着用時に幅方向の外側から内側に向かって力がかかると、一対の折曲基点部を基点に変形し、折曲基点部によって挟まれた領域が着用者側に膨らむように凸状に変形する。この凸状に変形が前後方向に連続し、吸収性物品の前後方向の端縁に向かって延びることがある。凸状に変形する領域よりも切り欠き部の幅方向の長さが長いため、凸状の変形領域よりも幅方向の外側で切り欠き部が変形し、身体と吸収性物品との隙間が生じることを抑制できる。よって、凸状に変形によるフィット性を確保しつつ、切り欠き部の変形によって吸収性物品の前後方向の端縁における追従性を確保できる。
【００２４】
好ましい一態様によれば、前記接合部は、前記吸収コアと重なる領域に配置された本体接合部を有し、前記切り欠き部は、前記吸収性物品の前端部に位置する前切り欠き部を有し、前記本体接合部の外側縁は、前記前切り欠き部の外側縁よりも前記幅方向の外側に位置してよい。
【００２５】
前切り欠き部よりも幅方向の外側に本体接合部が配置されているため、前切り欠き部の幅方向の全域に亘って下着と共に身体にフィットさせることができ、前切り欠き部によって変形した際に吸収性物品の前端部が浮き上がりにくく、前漏れを抑制できる。
【００２６】
好ましい一態様によれば、前記吸収性物品を着用物品に接合する接合部が設けられており、前記接合部は、前記吸収コアと重なる領域に配置された本体接合部を有し、前記切り欠き部は、前記吸収性物品の前端部に位置する後切り欠き部を有し、前記本体接合部の外側縁は、前記後切り欠き部の外側縁よりもの前記幅方向の内側に位置してよい。
【００２７】
スポーツ時等激しい動きが行われた際は、着用者の臀部が激しく動き、吸収性物品の後端部は、吸収性物品の前端部と比較して大きく動き易い。後切り欠き部の外側縁よりも幅方向の内側のみに本体接合部が配置されているため、後切り欠き部の外側部は、着用物品に拘束されずに、自由に動きやすい。よって、後切り欠き部における変形の自由度が高まり、後切り欠き部の変形による吸収性物品の後端縁の追従性を確保できる。
【００２８】
好ましい一態様によれば、前記切り欠き部の前記頂点から前記前後方向に延びる前後延長線上には、前記本体接合部が配置されていない非接合領域が設けられており、前記非接合領域の前記幅方向の長さは、前記切り欠き部の前記幅方向の長さよりも短くてよい。
【００２９】
切り欠き部の頂点から延びる延長線上に本体接合部が設けられていないため、切り欠き部の頂点が着用物品に拘束されずに変形し易くなる。よって、切り欠き部の頂点が柔軟に変形し易く、切り欠き部に掛かる力を分散し、切り欠き部が一旦変形しても変形前の状態に戻りやすくなる。
【００３０】
好ましい一態様によれば、前記吸収コアよりも肌面側に位置する肌面シートを有し、前記切り欠き部から前記幅方向の外側に延びる幅延出部には、少なくとも前記肌面シートを圧縮したシート圧搾部が設けられており、前記シート圧搾部は、平面視にて間隔を空けて複数設けられてよい。
【００３１】
本態様によれば、幅延出部には、シート圧搾部が間隔を空けて配置されており、連続する変形基点が形成され難く、意図しない皺が発生し難い。よって、幅延出部は、繰り返し変形しても、身体に沿い続け易く、身体を覆い続けることができる。加えて、幅延出部には、シート圧搾部による複数の変形基点が形成される。そのため、幅延出部は、柔軟に変形し易く、身体に対する追従性が向上する。幅延出部の追従性が向上することにより、切り欠き部の追従性も向上し、吸収性物品の前端部及び後端部によって身体を覆い続け易くなる。
【００３２】
好ましい一態様によれば、前記シート圧搾部は、前記切り欠き部の前記頂点から前記幅方向に延びる幅延長線上に配置されてよい。
【００３３】
幅延長線上にシート圧搾部が設けられているため、幅延長線の剛性が高くなり、幅延長線を基点として第１交点側及び第２交点側がめくれることを抑制できる。よって、吸収性物品の前端部及び後端部によって身体を覆い続けることができる。
【００３４】
（２）実施形態に係る吸収性物品
以下、図面を参照して、実施形態に係る吸収性物品ついて説明する。吸収性物品は、生理用ナプキン、パンティライナー及び、大人用失禁パッドを含む。吸収性物品は、下着等の着用物品の内側に取り付けられて使用される物品であってよい。
【００３５】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００３６】
図１は、実施形態における肌面側から見た吸収性物品の平面図である。図２は、実施形態における非肌面側から見た吸収性物品の平面図である。図３は、図１に示すＡ−Ａ線に沿った断面図である。ここで、「肌面側」は、使用中に着用者の肌に面する側に相当する。「非肌面側」は、使用中に着用者の肌とは反対に向けられる側に相当する。なお、図３の断面図では、説明の便宜上、吸収性物品を構成する構成部材を厚み方向に離間させている。しかし、実際の製品では、構成部材同士は、厚み方向に接しており、また、圧搾部による凹みが形成されている。
【００３７】
吸収性物品は、スポーツ用の吸収性物品であってよい。スポーツ用の吸収性物品は、スポーツ時に適した吸収性物品である。ここで、スポーツ用の吸収性物品とは、以下の１から３の少なくともいずれかに当てはまる吸収性物品である。１、吸収性物品自体、吸収性物品を個別に包装する包装シート、及び吸収性物品を複数収容したパッケージのうち少なくともいずれかに、スポーツ用であること、またはスポーツを想起させる文字や絵柄を有する吸収性物品。２、吸収性物品の販促ツール（広告、販売促進物）において、スポーツ用であることを示した吸収性物品。３、普通の生活では行われないスポーツ時ならではの動作にて違和感なく使用することができる吸収性物品。例えば、脚を大きく動かす等のスポーツの動きを阻害しない柔軟性がある吸収性物品。長時間走り続ける等長時間のスポーツにおいても吸収体や吸収性物品が破損せずに使用することができる耐久性がある吸収性物品。着用者が汗をかいてもヨレやズレが発生せず装着感に違和感がない吸収性物品。本実施形態は、スポーツを想起させる機能表示図柄を有するともに、機能表示図柄を構成する圧搾部によってスポーツ時のねじれを吸収し、スポーツ時に違和感なく使用できるように構成されている。
【００３８】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００３９】
吸収性物品１は、中央域Ｓ３、前側域Ｓ１及び後側域Ｓ２を有する。中央域Ｓ３は、着用者の排泄口（例えば膣口）に対向する領域である。吸収性物品が下着に装着されたときに、中央域Ｓ３は、下着の股下部に位置する。つまり、中央域Ｓ３は、着用者の股下、すなわち着用者の両足の間に配置される領域である。前側域Ｓ１は、中央域Ｓ３よりも前側に位置する。前側域Ｓ１の前端縁は吸収性物品１の前端縁を規定する。後側域Ｓ２は、中央域Ｓ３よりも後側に位置する。後側域Ｓ２の後端縁は吸収性物品１の後端縁を規定する。後側域Ｓ２の前後方向Ｌの長さは、中央域Ｓ３の前後方向Ｌの長さよりも長くなってよい。
【００４０】
中央域Ｓ３には、後述するウイング３が設けられてよい。ウイング３の前端縁３Ｆは、ウイング３の付け根によって規定されており、幅方向Ｗの内側に窪んだ２つの部分のうち、前側に位置する部分に相当する。ウイング３の前端縁３Ｆは、中央域Ｓ３と前側域Ｓ１との境界を規定してもよい。ウイング３の後端縁３Ｒは、ウイング３の付け根によって規定されており、幅方向Ｗの内側に窪んだ２つの部分のうち、後側に位置する部分に相当する。ウイング３の後端縁３Ｒは、中央域Ｓ３と後側域Ｓ２との間に位置してよい。ここで、前後方向Ｌにおけるウイング３の前端縁とウイング３の後端縁との間の領域を「ウイング域」と称する。また、ウイングの内側縁は、ウイングの付け根であり、ウイング３の前端縁３Ｆとウイング３の後端縁３Ｒを繋ぐウイング仮想線ＦＬ３（図１参照）となる。
【００４１】
また、ウイングを有する吸収性物品では、中央域Ｓ３は、ウイング域と実質的に同じ領域となる。したがって、本明細書において、「中央域Ｓ３」との語は、「ウイング域」と読み替えることができることに留意すべきである。また、中央域Ｓ３は、ウイングを有しない吸収性物品にあっては、吸収コア３０を前後方向Ｌに三等分した真ん中の領域であってもよいし、高坪量部３３を有する吸収性物品にあっては、高坪量部３３を有する領域であってもよい。
【００４２】
中央域Ｓ３は、中央中心線Ｓ３ＣＬを含む中央中心部Ｓ３１と、中央中心部Ｓ３１よりも前後方向Ｌの外側に位置する中央端部Ｓ３２と、を有する。中央中心線Ｓ３ＣＬは、中央域Ｓ３における前後方向Ｌの中心を通り、かつ幅方向Ｗに延びるラインである。中央中心部Ｓ３１は、中央中心線Ｓ３ＣＬを含み、中央中心線Ｓ３ＣＬから前後方向に一定の範囲を有する領域である。中央端部Ｓ３２は、中央域Ｓ３の前端縁から一定の範囲を有する領域と、中央域Ｓ３の後端縁から一定の範囲を有する領域と、によって構成されている。中央中心部Ｓ３１は、前後方向において中央端部Ｓ３２によって挟まれている。中央中心部Ｓ３１は、中央域Ｓ３を前後方向に３等分した領域のうち、中央に位置する領域によって構成されている。または、後述するウイング接合部６２が設けられた領域を中央中心部Ｓ３１として、中央中心部Ｓ３１の前後方向の外側の領域を、中央端部Ｓ３２としてもよい。
【００４３】
吸収性物品１は、肌面シート１０、非肌面シート２０及び吸収コア３０を有する。肌面シート１０は、吸収コア３０よりも肌面側Ｔ１に設けられる。非肌面シート２０は、吸収コア３０よりも非肌面側Ｔ２に設けられる。吸収コア３０は、肌面シート１０と非肌面シート２０との間に設けられる。
【００４４】
肌面シート１０は、体液等の液体を透過する液透過性のシートであり、不織布、織布、有孔プラスチックシート、メッシュシート等、液体を透過する構造を有する任意のシート状の材料から構成される。また、肌面シート１０は、吸収コア３０の幅方向の中央を覆う表面シート１１と、表面シート１１の外側部を覆い、かつ表面シート１１から幅方向の外側に延びるサイドシート１２によって構成されよい。表面シート１１は、少なくとも吸収コア３０の幅方向Ｗの中央を覆い、サイドシート１２は、幅方向Ｗにおける表面シート１１の外側部を覆い、表面シート１１よりも幅方向Ｗの外側へ延びてよい。サイドシート１２は、防漏性の観点から疎水性のシートを用いてもよい。肌面シートと吸収コア（又はコアラップ）との間には、セカンドシートが配置されていてもよい。
【００４５】
なお、本発明における外側部とは、幅方向Ｗにおける外側縁を含む幅方向Ｗに一定の範囲を占める部分であり、外側縁とは、幅方向Ｗにおける外側縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでいる。
【００４６】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００４７】
吸収コア３０は、少なくとも中央域Ｓ３及び後側域Ｓ２に配置される。また、吸収コア３０は、前側域Ｓ１にも配置されてよい。吸収コア３０は、液体を吸収する吸収材料が積層されており、コアラップ（図示せず）によって覆われてよい。吸収コア３０を構成する吸収材料は、例えば、親水性繊維、パルプ及び高吸水性高分子（ＳＡＰ）から形成できる。
【００４８】
吸収コア３０は、熱可塑性樹脂繊維を含んでいてよい。コアラップは、例えば不織布やティッシュから構成することができる。コアラップは、吸収コア３０よりも肌面側Ｔ１と吸収コア３０よりも非肌面側Ｔ２にそれぞれ配置されてよい。変形例として、吸収コア３０は、コアラップを有していなくてもよい。この場合、吸収コア３０は、肌面シート１０と非肌面シート２０とによって覆われていればよい。
【００４９】
前述したように、吸収性物品１は、ウイング３を有する。ウイング３は、中央域Ｓ３における吸収コア３０の外側縁よりも幅方向Ｗの外側に延出している。ウイング３は、肌面シート１０と非肌面シート２０との積層によって構成されてよい。ウイング３は、非肌面シート２０側に折り返し可能に構成されている。ウイング３は、使用時に着用物品としての下着のクロッチ部の非肌面側に折り返される。
【００５０】
変形例において、吸収性物品は、ヒップフラップを有してよい。ヒップフラップは、ウイング３と同様に、中央域Ｓ３における吸収コア３０の外側縁よりも幅方向Ｗの外側に延出し、肌面シート１０と非肌面シート２０との積層によって構成されてよい。ヒップフラップは、ウイング３よりも後側に位置し、後側域Ｓ２に設けられてよい。ヒップフラップは、使用時に折り返されず、下着と着用者の臀部との間に配置される。ヒップフラップには、吸収材料が設けられてなくてもよいし、吸収材料が設けられてもよい。
【００５１】
図２に示すように、吸収性物品１は、吸収性物品１を下着等の着用物品に接合するための粘着剤が設けられた接合部を有する。接合部は、吸収コア３０と重なる領域に配置された本体接合部６１と、ウイング３に配置されたウイング接合部６２と、を有してよい。本体接合部６１は、前後方向Ｌに延び、かつ幅方向Ｗに間隔を空けて配置されている。本体接合部６１は、吸収性物品の幅方向Ｗの中心である物品幅中心線１ＷＣに配置されてなく、物品幅中心線１ＷＣの幅方向Ｗの両側にそれぞれ複数列ずつ配置されている。ここで、物品幅中心線１ＷＣは、吸収性物品の幅方向Ｗの中心を通り、かつ前後方向Ｌに延びるラインである。具体的には、本体接合部６１は、物品幅中心線１ＷＣの幅方向Ｗの両側にそれぞれ８列ずつ配置されている。最も幅方向Ｗの外側の列に位置する本体接合部６１の前後方向の長さは、他の本体接合部６１の前後方向の長さよりも長くてよい。これらの接合部は、非肌面シート２０の非肌面側に設けられている。接合部は、使用前の状態において、被覆シートによって覆われてもよい。被覆シートは、使用前に接合部の粘着剤の劣化を防止し、吸収性物品の使用時に着用者によって取り外される。
【００５２】
吸収性物品の外縁部には、シート圧搾部８８が設けられてよい。シート圧搾部８８は、少なくとも肌面シート１０が圧縮されていればよく、肌面シート１０と非肌面シート２０が圧縮されていてもよい。シート圧搾部８８は、吸収コア３０と重ならない領域に設けられている。
【００５３】
吸収性物品１の少なくとも中央域Ｓ３には、吸収性物品の幅方向Ｗの中心を挟んで前後方向に延びる一対の折曲基点部８１が設けられている。折曲基点部８１は、中央域Ｓ３のみに設けられていてもよいし、前側域Ｓ１に跨がっていてもよいし、後側域Ｓ２に跨がっていてもよい。折曲基点部８１は、少なくとも中央中心線Ｓ３ＣＬを跨がっていればよく、中央域Ｓ３の前後方向の全域でなく前後方向の一部の領域に設けられていてもよい。本実施の形態の折曲基点部８１の前端縁８１Ｆは、中央域Ｓ３の前端縁よりも後側に位置し、折曲基点部８１の後端縁８１Ｒは、中央域Ｓ３の後端縁よりも前側に位置してよい。
【００５４】
折曲基点部８１は、物品幅中心線１ＷＣに対して幅方向Ｗに離間しており、物品幅中心線１ＷＣを挟んで一対で配置されている。折曲基点部８１は、前後方向Ｌに延びている。なお、折曲基点部８１は、少なくとも前後方向に延びていればよく、前後方向Ｌに対して平行であってもよいし、前後方向Ｌに対して傾斜していてもよい。折曲基点部８１は、平面視にて幅方向Ｗの内側に膨らむ湾曲形状であってもよいし、幅方向Ｗの外側に向かって膨らむ湾曲形状であってもよい。折曲基点部８１は、複数の点状部分の集合体によって構成されていてもよいし、線状であってもよい。
【００５５】
折曲基点部８１は、吸収性物品の変形基点として機能する。折曲基点部８１は、剛性差、厚み差、吸収コアの坪量の差等によって変形の基点となるものであればよく、具体的には、少なくとも吸収コアを厚さ方向に圧縮した圧縮部、吸収コアの坪量が周囲よりも低い低坪量部、吸収コアの坪量が周囲よりも高い高坪量部、及び吸収コアの厚みが周囲よりも薄い低厚み部、吸収コアの厚みが周囲よりも厚い高厚み部の少なくともいずれか、又はこれらの組み合わせによって構成できる。
【００５６】
折曲基点部８１は、吸収コア３０に重なっていてよい。吸収コアの変形基点として機能することが好ましい。吸収コア３０の外側縁３０Ｅは、折曲基点部８１よりも幅方向Ｗの外側に位置しており、吸収コア３０の外側縁３０Ｅと折曲基点部８１は、幅方向Ｗに離間している。そのため、吸収コアは、折曲基点部８１よりも幅方向Ｗの外側の領域と、折曲基点部８１同士によって挟まれた領域と、にそれぞれ配置されている。
【００５７】
圧搾部８０は、折曲基点部８１を構成する圧搾部の他に、前圧搾部８２と、後圧搾部８３と、サイド圧搾部８７と、中央圧搾部８６と、を有してよい。前圧搾部８２、後圧搾部８３、サイド圧搾部８７、及び中央圧搾部８６は、少なくとも吸収コアが厚さ方向に圧縮されており、肌面シートと吸収コアが厚さ方向に圧縮されていてもよい。
【００５８】
図１に示すように、前圧搾部８２は、折曲基点部８１よりも前側に位置し、前側域Ｓ１と中央域Ｓ３に跨がって配置されてよい。後圧搾部８３は、折曲基点部８１よりも後側に位置し、後側域Ｓ２と中央域Ｓ３に跨がって配置されてよい。前圧搾部８２及び後圧搾部８３のそれぞれは、第１ライン及び第１ラインと交差部において交差する第２ラインを有するＸ字状であって、交差部から四方に延出する延出部を有してよい。
【００５９】
サイド圧搾部８７は、平面視にて曲線状であり、間隔を空けて複数設けられている。サイド圧搾部８７は、幅方向Ｗの内側に膨らむ凸形状と、幅方向Ｗの外側に膨らむ凸形状と、が前後方向に連続したライン状であってよい。サイド圧搾部８７は、主に、折曲基点部８１よりも幅方向Ｗの外側と、前圧搾部８２よりも前側と、後圧搾部８３よりも後側と、に設けられてよい。サイド圧搾部８７は、折曲基点部８１、前圧搾部８２及び後圧搾部８３のそれぞれに重なる領域にも設けられてよい。サイド圧搾部８７は、折曲基点部８１よりも幅方向Ｗの内側に延出していてもよいし、前圧搾部８２よりも後側に延出していてもよいし、後圧搾部８３よりも前側に延出していてもよい。
【００６０】
中央圧搾部８６は、一対の折曲基点部８１に挟まれた領域に設けられている。中央圧搾部８６は、点状であって、前後方向及び幅方向Ｗに間隔を空けて複数配置されている。中央圧搾部８６は、高坪量部３３が配置された領域に設けられてよい。中央圧搾部８６の深さは、少なくともサイド圧搾部８７よりも深くてよい。すなわち、中央圧搾部８６の底面は、サイド圧搾部８７の底面よりも非肌面側Ｔ２に位置してよい。当該構成によれば、中央域Ｓ３が膣口にフィットした際に、中央圧搾部８６によって経血等の体液を吸収コア３０側に引き込み易くなる。
【００６１】
（３）切り欠き部の詳細構成
次いで、図４から図６に基づいて切り欠き部９０の詳細構成について説明する。図４は、吸収性物品１の前端部１Ｆの拡大平面図であり、図５は、吸収性物品１の後端部１Ｒの拡大平面図である。図６は、吸収性物品の後端部１Ｒにおける変形態様を模式的に示した図である。図６（ａ）は、変形前の状態であり、図６（ｂ）は、図面の左側（後述する第１交点９１側）から幅方向の内側に向かう力がかかった状態であり、図６（ｃ）は、図面の右側（後述する第２交点９２側）から幅方向の内側に向かう力がかかった状態である。吸収性物品の前端部１Ｆ及び後端部１Ｒの少なくとも一方に、吸収性物品の幅方向の中央において前後方向の内側に向かって幅狭となる切り欠き部９０が形成されている。本実施の形態の吸収性物品は、切り欠き部９０によって、着用者の姿勢が繰り返し変化した際にも身体の動きに追従し易く構成されている。詳細には、切り欠き部９０が設けられているため、スポーツ等によって激しく変形する力がかかった場合であっても、当該力を切り欠き部９０の変形によって吸収し、吸収性物品１が身体から離れることを抑制できる。そのため、吸収性物品１の前端部１Ｆ及び後端部１Ｒの少なくとも一方が意図せずに、折れ曲がることを抑制し、身体を覆い続けることができる。
【００６２】
切り欠き部９０は、前端部１Ｆに設けられた前切り欠き部Ｆ９０と、後端部１Ｒに設けられた後切り欠き部Ｒ９０と、を有してよい。前切り欠き部Ｆ９０は、吸収性物品の前側に位置する側縁に設けられている。前切り欠き部Ｆ９０は、後側に向かって凹む湾曲形状である。後切り欠き部Ｒ９０は、吸収性物品の後側に位置する側縁に設けられている。後切り欠き部Ｒ９０は、前側に向かって凹む湾曲形状である。切り欠き部９０は、吸収コア３０から前後方向Ｌの外側に延出した前後延出部ＲＬに設けられていてよい。前後延出部ＲＬは、吸収コア３０の前端縁３０Ｆから前側に延びる領域と、吸収コア３０の後端縁３０Ｒから後側に延びる領域と、を含む。図１及び図５において、後側域Ｓ２における前後延出部ＲＬを示す。切り欠き部９０は、吸収コア３０よりも前後方向Ｌの外側において、吸収コア３０と重ならない領域に設けられてよい。切り欠き部９０は、肌面シート１０と非肌面シート２０が積層された領域に設けられてよい。切り欠き部９０は、前後延出部ＲＬの少なくとも一部に設けられていればよい。切り欠き部９０の幅方向の長さは、前後延出部ＲＬの幅方向Ｗの長さよりも短くてもよいし、前後延出部ＲＬの幅方向Ｗの長さ以上であってもよい。なお、以下の説明において、前切り欠き部Ｆ９０と後切り欠き部Ｒ９０において同様の構成については、同符号を用いて説明を省略する。
【００６３】
切り欠き部９０は、頂点９３と、頂点９３から幅方向Ｗの一方側（図１における左側）に延び、かつ吸収性物品の前後方向の端縁に連なる第１交点９１と、頂点９３から幅方向Ｗの他方側（図１における右側）に延び、かつ吸収性物品の前後方向の端縁に連なる第２交点９２と、を有する。頂点９３は、第１交点９１及び第２交点よりも前後方向の内側に位置し、切り欠き部９０の内端縁を構成する。第１交点９１と第２交点９２は、物品幅中心線１ＷＣを挟んで両側に配置されてよく、物品幅中心線１ＷＣに対して線対称であってもよい。切り欠き部９０が設けられていることにより、スポーツ等によって激しく変形する力がかかった場合であっても、当該力を切り欠き部９０の変形によって吸収し、吸収性物品１が身体から離れることを抑制できる。そのため、吸収性物品１の前端部１Ｆ及び後端部１Ｒの少なくとも一方が意図せずに、折れ曲がることを抑制し、身体を覆い続けることができる。
【００６４】
頂点９３と第１交点９１を結ぶ第１端縁９５、及び頂点９３と第２交点９２を結ぶ第２端縁９６のうち少なくとも一方は、曲線状に延びる曲線部を有してよい。曲線部は、第１端縁９５及び第２端縁９６の少なくとも一部に設けられていてよい。本実施の形態の曲線部は、第１端縁９５の全体及び第２端縁９６の全体に設けられている。曲線部は、直線状でなければよく、曲率が変化した湾曲部分も含むものである。従来の吸収性物品のように、第１端縁及び第２端縁が直線状である場合には、Ｖ字状の頂点に力が集中し、頂点を基点として切り欠き部９０が幅入りするように変形し易く、その変形状態も維持し易い。これに対して、本実施の形態の吸収性物品１は、第１端縁９５及び第２端縁９６のうち少なくとも一方が曲線部を有するため、切り欠き部９０が変形した際に、その変形時に折り癖がつき難く、変形前の状態に戻り易い。また、切り欠き部９０の変形基点が曲線部上に位置するため、曲線部上に位置する複数の点が変形基点となり易く、変形基点の位置が変化し易い。よって、種々の姿勢やその変化に追従して吸収性物品１が変形できる。
【００６５】
切り欠き部９０の前後方向の長さＬ１は、切り欠き部９０の幅方向Ｗの長さＬ２よりも短くてよい。切り欠き部９０の幅方向Ｗの長さＬ２は、第１交点９１と第２交点９２の幅方向Ｗの距離であってよい。切り欠き部９０の前後方向Ｌの長さＬ１は、第１交点９１と第２交点９２を繋ぐ線と、頂点９３と、の前後方向Ｌの距離であってよい。従来の吸収性物品のように、切り欠き部９０の前後方向の長さが切り欠き部９０の幅方向の長さよりも長い場合には、吸収性物品に幅方向の内側に向かう力がかかった際に、切り欠き部９０が幅方向の全体が幅入りするように変形し易く、その変形状態も維持され易い。また、切り欠き部９０の前後方向の長さが比較的長く、使用者は、後漏れに対する不安を感じ易い。これに対して、本実施の形態の吸収性物品１は、切り欠き部９０の前後方向Ｌの長さが切り欠き部９０の幅方向Ｗの長さよりも短いため、幅方向Ｗの内側に向かう力がかかった際に、切り欠き部９０が部分的に幅入りして変形を吸収し、切り欠き部９０の全体が幅入りし難い。よって、一旦幅入りした後に変形前の状態に戻りやすくなり、着用者の姿勢が繰り返し変化した際に、吸収性物品１が身体の姿勢の変化に追従でき、姿勢が変化した身体を覆い続け易い。また、切り欠き部９０の前後方向Ｌの長さが比較的短く、使用者は、前漏れ及び後漏れに対する不安を感じ難い。
【００６６】
切り欠き部９０の前後方向Ｌの長さＬ１は、吸収性物品１の前後方向Ｌの長さに対する１０％未満であってよい。切り欠き部９０の前後方向Ｌの長さが吸収性物品１の前後方向Ｌの長さに対する１０％以上であると、切り欠き部９０を挟んだ幅方向Ｗの両側が独立して動き易くなる。その一方、着用者の姿勢が繰り返し変化した際に切り欠き部９０を挟んだ両側が変形前の状態に戻り難くなるおそれがある。切り欠き部９０の前後方向の長さが吸収性物品の前後方向の長さに対する１０％未満であることにより、切り欠き部９０を挟んだ幅方向の両側が変形前の状態に戻り易くなる。
【００６７】
切り欠き部９０の幅方向の長さＬ２は、４０ｍｍ以上であってよい。一般的に、股間幅は、35-40ｍｍ程度である。切り欠き部９０の幅方向の長さが股間幅よりも長いことにより、脚によって股間幅程度になるまで吸収性物品１が押圧されても、切り欠き部９０よりも幅方向Ｗの外側の領域が折れ返り難い。また、肛門よりも後方部における臀部間の空間が吸収性物品に接する領域（身体が吸収性物品と接していない領域）の幅方向の長さは、４０ｍｍ程度である。当該臀部間の空間は、スポーツ等で特に変形し易く、当該空間に接する領域は、より変形し易い。空間に接する領域よりも幅方向の外側まで切り欠き部９０が形成されているため、激しい動きが生じた場合であっても、切り欠き部９０よりも幅方向の外側の領域が折れ返り難くなる。切り欠き部９０の幅方向の長さＬ２は、吸収性物品１の幅方向の長さよりも短くてよい。すなわち、切り欠き部９０の外側縁は、吸収性物品１の外側縁よりも幅方向Ｗの内側に位置してよい。切り欠き部９０が吸収性物品１の幅方向の長さよりも短いため、切り欠き部９０が変形し、切り欠き部９０よりも幅方向の外側の領域が変形しないことにより、当該切り欠き部９０よりも幅方向の外側の領域によって切り欠き部９０が変形前の状態にもとりやすくなる。
【００６８】
図４に示すように、切り欠き部９０の頂点９３と吸収コア３０との前後方向Ｌの距離Ｇ１１は、頂点９３よりも幅方向Ｗの外側の領域における切り欠き部９０と吸収コア３０との前後方向Ｌの距離Ｇ１２、Ｇ１３と異なってよい。頂点９３よりも幅方向Ｗの外側における切り欠き部９０は、頂点９３よりも幅方向の外側であって、第１交点９１よりも幅方向の内側の部分と、頂点９３よりも幅方向の外側であって、第２交点９２よりも幅方向の内側の部分と、を含むものである。すなわち、切り欠き部９０と吸収コア３０との距離は、一定でなく、少なくとも頂点における距離が異なってよい。また、好適には、頂点９３よりも幅方向Ｗの外側の領域においても、切り欠き部９０と吸収コア３０との前後方向Ｌの距離は、一定でなく、変化してよい。従来の吸収性物品のように、切り欠き部９０と吸収コアの外端縁との距離が一定の場合には、吸収コア３０から延出した領域の長さが一定である。そのため、Ｖ字状の切り欠き部９０の外端縁同士が近づくように変形すると、吸収コア３０から延出した領域全体が同じように変形し、切り欠き部９０が幅入りするように変形し易く、その変形状態も維持し易い。これに対して、本実施の形態の吸収性物品は、切り欠き部９０と吸収コア３０の外端縁との距離が一定でないため、切り欠き部９０が部分的に幅入りして変形を吸収し、切り欠き部９０の全体が幅入りし難い。よって、一旦幅入りした後に変形前の状態に戻りやすくなり、着用者の姿勢が繰り返し変化した際に、吸収性物品が身体の姿勢の変化に追従でき、姿勢が変化した身体を覆い続け易い。
【００６９】
切り欠き部９０の頂点９３と吸収コア３０との前後方向Ｌの距離Ｇ１１は、頂点よりも幅方向の外側の領域における切り欠き部９０と吸収コアとの前後方向Ｌの距離Ｇ１２、Ｇ１３よりも長くてよい。図６に示すように、切り欠き部９０に捻れ方向の力が生じると、切り欠き部９０の頂点９３を基点として、切り欠き部９０を挟んだ両側が捩れるように変形する。このときの変形の基点は、切り欠き部９０の頂点となる。当該切り欠き部９０の頂点は、吸収コア３０と比較的離れており、吸収コアの剛性の影響を受け難い。よって、切り欠き部９０の頂点が変形し易く、また変形後に変形前の状態に戻りやすくなる。着用者の姿勢が繰り返し変化した際に、吸収性物品が身体の姿勢の変化に追従でき、姿勢が変化した身体を覆い続け易い。
【００７０】
頂点９３、第１交点９１、及び第２交点９２は、曲線状の角部に設けられてよい。頂点９３は、第１端縁９５と第２端縁９６とが連なる角部に設けられ、第１交点９１は、第１端縁９５と、第１交点９１から幅方向の外側に延びる吸収性物品の側縁と、が連なる角部に設けられており、第２交点９２は、第２端縁９６と、第２交点９２から幅方向の外側に延びる吸収性物品の側縁と、が連なる角部に設けられている。従来の吸収性物品のように、直線状のＶ字状の切り欠き部９０は、直線が交差する角部であり、装着時には、Ｖ字を構成する一対の直線の交点と、一対の直線のそれぞれが吸収性物品の後端縁に交わる一対の交点と、を基点として変形する。このとき、Ｖ字の頂点、及び一対の交点が、直線同士が交わる角部に設けられているため、切り欠き部９０が変形した際に、その変形時に折り癖がつきやすく、変形前の状態に戻り難い。これに対して、本実施の形態の吸収性物品は、頂点９３、第１交点９１、及び第２交点９２が曲線状の角部に設けられているため、切り欠き部９０が変形した際に、その変形時に折り癖がつき難く、変形前の状態に戻り易い。また、曲線状の角部は、変形基点が一点とならず、曲線上に位置する複数の点が変形基点となり易い。よって、種々の姿勢やその変化に追従して吸収性物品が変形できる。
【００７１】
角部の曲率半径は、３ｍｍ以上であってよい。一般的に、臀部の最深部の溝幅は、少なくとも２〜３ｍｍである。角部の曲率半径は、３ｍｍ以上であることにより、臀部の溝に角部が嵌まることを抑制できる。例えば、臀部の溝に角部が嵌まると、溝に引っかかった１点に力が集中し、切り欠き部又はその周囲が破れるおそれがある。しかし、角部の曲率半径は、３ｍｍ以上であることにより、臀部の溝に角部が嵌まることを抑制でき、切り欠き部及びその周囲が破れることを抑制できる。
【００７２】
前後方向Ｌにおいて、吸収コア３０の外端縁は、切り欠き部９０の頂点９３よりも内側に位置してよい。切り欠き部９０の頂点９３よりも前後方向Ｌの内側のみに吸収コア３０が配置されてよい。そのため、幅方向Ｗにおいて切り欠き部９０を挟む領域に吸収コア３０が配置されない。切り欠き部９０を挟んだ両側の剛性が高くなり過ぎず、切り欠き部９０を挟んだ両側が変形しても、変形時に折り癖が付き難く、変形前の状態に戻りやすくなる。着用者の姿勢が繰り返し変化した際に、吸収性物品が身体の姿勢の変化に追従でき、姿勢が変化した身体を覆い続け易い。なお、幅方向において切り欠き部９０を挟む領域は、後述する幅延出部ＲＷである。
【００７３】
図１に示すように、切り欠き部９０の幅方向Ｗの長さＬ２は、一対の折曲基点部８１の幅方向の間隔Ｇ８１よりも長くてよい。着用時に幅方向の外側から内側に向かって力がかかると、一対の折曲基点部８１を基点に変形し、折曲基点部８１によって挟まれた領域が着用者側に膨らむように凸状に変形する。この凸状に変形が前後方向Ｌに連続し、吸収性物品１の前後方向の端縁に向かって延びることがある。凸状に変形する領域よりも切り欠き部９０の幅方向の長さＬ２が長いため、凸状の変形領域よりも幅方向の外側で切り欠き部９０が変形し、身体と吸収性物品との隙間が生じることを抑制できる。よって、凸状に変形によるフィット性を確保しつつ、切り欠き部９０の変形によって吸収性物品１の前後方向の端縁における追従性を確保できる。
【００７４】
本体接合部６１の外側縁は、前切り欠き部Ｆ９０の外側縁よりも幅方向Ｗの外側に位置してよい。複数の本体接合部６１を有する形態にあっては、本体接合部６１の外側縁は、最も幅方向の外側に位置する本体接合部６１の外端縁である。すなわち、前切り欠き部Ｆ９０よりも幅方向Ｗの外側の領域に、本体接合部６１が配置されていればよい。前切り欠き部Ｆ９０よりも幅方向Ｗの外側に本体接合部６１が配置されていることにより、前切り欠き部Ｆ９０の幅方向Ｗの全域に亘って下着と共に身体にフィットさせることができ、前切り欠き部Ｆ９０によって変形した際に吸収性物品１の前端部１Ｆが浮き上がり難く、前漏れを抑制できる。
【００７５】
本体接合部６１の外側縁は、後切り欠き部Ｒ９０よりも幅方向Ｗの内側に位置してよい。本体接合部６１は、後切り欠き部Ｒ９０の外側縁よりも幅方向Ｗの外側の領域に配置されずに、後切り欠き部Ｒ９０の外側縁よりも幅方向Ｗの内側の領域のみに配置されてよい。スポーツ時等激しい動きが行われた際は、着用者の臀部が激しく動き、吸収性物品１の後端部１Ｒは、吸収性物品１の前端部１Ｆと比較して大きく動き易い。後切り欠き部Ｒ９０の外側縁よりも幅方向Ｗの内側のみに本体接合部６１が配置されているため、後切り欠き部Ｒ９０の外側部（本体接合部６１よりも幅方向の外側の領域）は、着用物品に拘束されずに、自由に動きやすい。よって、後切り欠き部Ｒ９０における変形の自由度が高まり、後切り欠き部Ｒ９０の変形による吸収性物品の後端縁の追従性を確保できる。
【００７６】
図２に示すように、切り欠き部９０の頂点から前後方向Ｌに延びる前後延長線ＦＬ９３上には、本体接合部６１が配置されていない非接合領域ＮＲが設けられてよい。非接合領域ＮＲの幅方向の長さＷＮＲは、切り欠き部９０の幅方向Ｗの長さよりも短くてよい。非接合領域ＮＲの幅方向の長さＷＮＲは、前切り欠き部Ｆ９０の幅方向の長さよりも短くてよく、後切り欠き部Ｒ９０の幅方向の長さよりも短くてよい。切り欠き部９０の頂点９３から延びる延長線ＦＬ９３上に本体接合部６１が設けられていないため、切り欠き部９０の頂点が着用物品に拘束されずに変形し易くなる。よって、切り欠き部９０の頂点９３が柔軟に変形し易く、切り欠き部９０に掛かる力を分散し、切り欠き部９０が一旦変形しても変形前の状態に戻りやすくなる。よって、着用者の姿勢が繰り返し変化した際に、吸収性物品が身体の姿勢の変化に追従でき、姿勢が変化した身体を覆い続け易い。
【００７７】
切り欠き部９０から幅方向の外側に延びる幅延出部ＲＷには、シート圧搾部８８が設けられてよい。幅延出部ＲＷは、第１端縁９５から幅方向の外側に延びる領域と、第２端縁９６から幅方向の外側に延びる領域である。図１及び図４において、前切り欠き部Ｆ９０の幅延出部ＲＷに斜線を付して示す。シート圧搾部８８は、平面視にて間隔を空けて複数設けられてよい。シート圧搾部８８が間隔を空けて配置されてなく、直線状に連続して配置されている構成にあっては、当該シート圧搾部が基点となって意図しない皺が幅延出部に形成されるおそれがある。幅延出部に意図しない皺が形成されると、当該皺によって切り欠き部９０にも意図しない皺が形成され、身体に対する追従性が低下するおそれがある。しかし、本実施の形態によれば、幅延出部ＲＷには、シート圧搾部８８が間隔を空けて配置され、意図しない皺が発生し難い。よって、幅延出部ＲＷは、繰り返し変形しても、身体に沿い続け易く、身体を覆い続けることができる。加えて、幅延出部ＲＷには、シート圧搾部８８による複数の変形基点が形成される。そのため、幅延出部ＲＷは、柔軟に変形し易く、身体に対する追従性が向上する。幅延出部ＲＷの追従性が向上することにより、切り欠き部９０の追従性も向上し、吸収性物品１の前端部１Ｆ及び後端部１Ｒによって身体を覆い続け易くなる。
【００７８】
シート圧搾部８８は、頂点９３から幅方向に延びる幅延長線ＦＬ９４上に配置されてよい。幅延長線ＦＬ９４上にシート圧搾部８８が設けられていることにより、幅延長線ＦＬ９４の剛性が高くなる。幅延長線ＦＬ９４を基点として第１交点９１側及び第２交点９２側がめくれることを抑制できる。よって、吸収性物品１の前端部１Ｆ及び後端部１Ｒによって身体を覆い続けることができる。
【００７９】
切り欠き部９０から前後方向の内側に延びる前後延出部ＲＬには、シート圧搾部８８が間隔を空けて設けられてよい。幅延出部ＲＷは、第１端縁９５から幅方向の外側に延びる領域と、第２端縁９６から幅方向の外側に延びる領域である。前後延出部ＲＬには、シート圧搾部８８が間隔を空けて配置され、意図しない皺が発生し難い。よって、前後延出部ＲＬは、繰り返し変形しても、身体に沿い続け易く、身体を覆い続けることができる。加えて、前後延出部ＲＬには、シート圧搾部８８による複数の変形基点が形成される。そのため、前後延出部ＲＬは、柔軟に変形し易く、身体に対する追従性が向上する。前後延出部ＲＬの追従性が向上することにより、切り欠き部９０の追従性も向上し、吸収性物品の前端部及び後端部によって身体を覆い続け易くなる。
【００８０】
シート圧搾部８８は、第１端縁９５及び第２端縁９６に対して離間して配置されてよい。切り欠き部９０を構成する第１端縁９５及び第２端縁９６にシート圧搾部８８が形成されていないことにより、第１端縁９５及び第２端縁９６の柔軟性を確保し、切り欠き部９０の頂点９３が変形し易く、また変形後に前の状態に戻りやすくなる。よって、着用者の姿勢が繰り返し変化した際に、吸収性物品が身体の姿勢の変化に追従でき、姿勢が変化した身体を覆い続け易い。
【００８１】
シート圧搾部８８は、サイドシート１２よりも幅方向の内側の領域では、表面シート１１と非肌面シート２０が圧縮されており、サイドシート１２よりも幅方向Ｗの外側の領域では、表面シート１１、サイドシート１２及び非肌面シート２０が圧縮されている。切り欠き部９０の頂点９３は、物品幅中心線１ＷＣ上に位置し、表面シート１１と非肌面シート２０が積層された領域（サイドシートが配置されていない領域）に設けられている。切り欠き部９０の第１交点９１及び第２交点９２は、物品幅中心線１ＷＣ上よりも幅方向の外側に位置している。前切り欠き部Ｆ９０の第１交点９１及び第２交点９２は、表面シート１１と非肌面シート２０が積層された領域（サイドシートが配置されていない領域）に設けられている。後切り欠き部Ｒ９０の第１交点９１及び第２交点９２は、表面シート１１、サイドシート１２、及び非肌面シート２０が積層された領域に設けられている。後切り欠き部Ｒ９０は、第１交点９１及び第２交点９２のシート数が頂点９３のシート数よりも多く、第１交点９１及び第２交点の剛性が高くなり易い。幅方向の外側から力がかかった際に、第１交点及び第２交点が折れ返り難くなり、切り欠き部９０の意図しない折れ返りを抑制できる。よって、吸収性物品の前端部及び後端部によって身体を覆い続けることができる。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００８３】
着用者の姿勢が繰り返し変化した際にも身体の動きに追従し易い吸収性物品を提供することができる。
【符号の説明】
【００８４】
１      ：吸収性物品
１０    ：肌面シート
２０    ：非肌面シート
３０    ：吸収コア
６１    ：本体接合部
８１    ：折曲基点部
８８    ：シート圧搾部
９０    ：切り欠き部
Ｆ９０  ：前切り欠き部
Ｒ９０  ：後切り欠き部
９１    ：第１交点
９２    ：第２交点
９３    ：頂点
９５    ：第１端縁
９６    ：第２端縁
ＲＬ    ：前後延出部
ＲＷ    ：幅延出部
Ｌ１    ：切り欠き部の前後方向の長さ
Ｌ２    ：切り欠き部の幅方向の長さ
ＦＬ９４：幅延長線
ＦＬ９３：前後延長線
【図１】
2020124314.tif 000003
【図２】
2020124314.tif 000004
【図３】
2020124314.tif 000005
【図４】
2020124314.tif 000006
【図５】
2020124314.tif 000007
【図６】
2020124314.tif 000008